(57)【要約】      （修正有）【課題】絵画道具一式を楽に持運び可能とすることで、道具運びによる疲労を軽減するとともに、移動の際の安全性を確保することができる絵画道具一式収納カート並びに該カート用エーゼル、絵具箱及びカバーの提供を図る。【解決手段】把持部2と、下方に車輪4及び立掛部5を備える荷台と、該把持部2と荷台とを接続支持すると共に把持部2を収納する機能を有する支持部と、荷台の上に設けられる絵画道具収納箱7と、該絵画道具収納箱7と支持部との間に形成される折畳み椅子C及び折畳みエーゼルEを収納するための空間と、を有する構成からなる絵画道具一式収納カート1であり、該絵画道具収納箱7が、正面下方部の蓋体9が開放状態において水平に固定可能であってテーブルとして機能する。【選択図】図１
2006042906.tif 000002
【特許請求の範囲】
【請求項１】
把持部と、下方に車輪及び立掛部を備える荷台と、該把持部と荷台とを接続支持すると共に把持部を収納する機能を有する支持部と、荷台の上に設けられる絵画道具収納箱と、該絵画道具収納箱と支持部との間に形成される折畳み椅子及び折畳みエーゼルを収納するための空間と、を有することを特徴とする絵画道具一式収納カート。
【請求項２】
前記絵画道具収納箱が、キャンパス収納室と絵具箱収納室と絵画雑具収納室とからなることを特徴とする請求項１に記載の絵画道具一式収納カート。
【請求項３】
前記絵画道具収納箱が、その上面が任意の一辺にヒンジ構造を有する蓋体に構成されるとともに正面下方部が上方一辺にヒンジ構造を有する蓋体に構成され、該正面下方部の蓋体が開放状態において水平に固定可能であってテーブルとして機能することを特徴とする請求項１または請求項２に記載の絵画道具一式収納カート。
【請求項４】
キャンパスを設置するエーゼルであって、折畳み可能となっており、二本の脚部の両下端にフックを備え、展開した状態において前記絵画道具収納箱の背面上部に該フックを引掛けるとともに裏面を前記把持部に立掛けることで、絵画道具一式収納カート全体をエーゼルとして使用することが可能であることを特徴とする絵画道具一式収納カート用折畳みエーゼル。
【請求項５】
前記絵具箱収納室に収納可能な大きさの上面を開放した下段箱体と、該下段箱体の上面を覆う状態で重ねられる中段箱体と、該中段箱体の上面を覆う状態で重ねられる上段箱体と、該上段箱体上面を覆う蓋とから構成され、各箱体が連結されて階段状に展開可能となっており、該展開した状態で中段箱体及び上段箱体の高さ位置を維持するための脚部を設けてなることを特徴とする絵画道具一式収納カート用絵具箱。
【請求項６】
前記絵画道具収納箱を覆うカバーであって、正面及び上面を開放可能に構成するとともに、背面には移動時に背負うための肩掛け帯を備えたことを特徴とする絵画道具一式収納カート用カバー。
【発明の詳細な説明】
【技術分野】
【０００１】
本発明は、絵画道具一式収納カート並びに該カート用エーゼル、絵具箱及びカバーに関するものである。
【背景技術】
【０００２】
写生をする場合において、絵画道具は多種多様であって、必須のものだけでもキャンパスやパレット、エーゼルに絵具、水差し等の様に豊富である。これらの絵画道具を、全て一つにまとめて持ち歩くのは困難を極める。すなわち、従来においては、バッグ等に絵具やパレット等の小物を詰込み、大きいエーゼルやキャンパスなどは担いだり手で持って移動したりしていた。この場合、荷物の重さで写生現場へ行くまでに疲れてしまい、また、大きい道具のせいで身動きが不自由になるといった問題があった。特に、遠くの地に出向いて写生する場合には、かかる問題は顕著に現れ、絵画道具を現場へ持っていくだけで疲れてしまい、精神的に写生どころではなくなってしまう。
【特許文献１】特開２０００‐２８９３９８
【発明の開示】
【発明が解決しようとする課題】
【０００３】
上記問題点に鑑み、本発明は、絵画道具一式を楽に持運び可能とすることで、道具運びによる疲労を軽減するとともに、移動の際の安全性を確保することができる絵画道具一式収納カート並びに該カート用エーゼル、絵具箱及びカバーを提供することを目的とする。
【課題を解決するための手段】
【０００４】
前記目的を達成するため、本発明は、把持部と、下方に車輪及び立掛部を備える荷台と、該把持部と荷台とを接続支持すると共に把持部を収納する機能を有する支持部と、荷台の上に設けられる絵画道具収納箱と、該絵画道具収納箱と支持部との間に形成される折畳み椅子及び折畳みエーゼルを収納するための空間と、を有する構成からなる絵画道具一式収納カートである。
【０００５】
また、本発明は、前記絵画道具収納箱が、キャンパス収納室と絵具箱収納室と絵画雑具収納室とからなる構成とすることができる。
【０００６】
さらに、本発明は、前記絵画道具収納箱が、その上面が任意の一辺にヒンジ構造を有する蓋体に構成されるとともに正面下方部が上方一辺にヒンジ構造を有する蓋体に構成され、該正面下方部の蓋体が開放状態において水平に固定可能であってテーブルとして機能する構成を採ることもできる。
【０００７】
そしてまた、本発明は、キャンパスを設置するエーゼルであって、折畳み可能となっており、二本の脚部の両下端にフックを備え、展開した状態において前記絵画道具収納箱の背面上部に該フックを引掛けるとともに裏面を前記把持部に立掛けることで、絵画道具一式収納カート全体をエーゼルとして使用することが可能である構成からなる絵画道具一式収納カート用エーゼルである。
【０００８】
またさらに、本発明は、前記絵具箱収納室に収納可能な大きさの上面を開放した下段箱体と、該下段箱体の上面を覆う状態で重ねられる中段箱体と、該中段箱体の上面を覆う状態で重ねられる上段箱体と、該上段箱体上面を覆う蓋とから構成され、各箱体が連結されて階段状に展開可能となっており、該展開した状態で中段箱体及び上段箱体の高さ位置を維持するための脚部を設けた構成からなる絵画道具一式収納カート用絵具箱である。
【０００９】
さらにまた、本発明は、前記絵画道具収納箱を覆うカバーであって、正面及び上面を開放可能に構成するとともに、背面には移動時に背負うための肩掛け帯を備えた構成からなる絵画道具一式収納カート用カバーである。
【発明の効果】
【００１０】
本発明にかかる絵画道具一式収納カートによれば、絵画道具一式を一のカートで全て一つにまとめて持運ぶことができるため、道具運びの煩雑さがなくなり大変に便利である。
【００１１】
また、車輪を有するカートであるため、荷物全体が重い場合であっても楽に持運び可能であって、道具運びによる疲労を軽減し、さらには、片手でカートを引きずれば持運び可能であるため、両手が塞がることなく移動の際の安全性を確保することができる。
【００１２】
そしてまた、現場で実際に写生をする場合に、本発明にかかる絵画道具一式収納カートがそのままエーゼルや絵画道具を置くためのテーブルとして使用することが可能となるといった効果も奏する。
【発明を実施するための最良の形態】
【００１３】
以下、本発明にかかる絵画道具一式収納カート１を図面に基づいて説明する。
【００１４】
図１は、本発明にかかる絵画道具一式収納カート１を示す斜視図であり、図２は、本発明にかかる絵画道具一式収納カート１を示す側面図である。該絵画道具一式収納カート１は、把持部２と、下方に車輪４及び立掛部５を備える荷台３と、該把持部２と荷台３とを接続支持すると共に把持部２を収納する機能を有する支持部６と、荷台３の上に設けられる絵画道具収納箱７と、該絵画道具収納箱７と支持部６との間に形成される折畳み椅子Ｃ及び折畳みエーゼルＥを収納するための空間Ｓと、を有する構成からなる。
【００１５】
把持部２は、支持部６へ収納可能な構造となっており、絵画道具一式収納カート１全体の高さは、該把持部２の収納によって変化する。かかる収納の構造に限定はないが、折畳み式やスライド式収納構造等が考えられる。
【００１６】
荷台３の上に設けられた絵画道具収納箱７は、キャンパス収納室７ａと絵具箱収納室７ｂと絵画雑具収納室７ｃとから構成される。キャンパス収納室７ａは、絵画道具収納箱７内の背面側に設けられ、キャンパスＧが二枚程度収納可能なスペースを有する。絵画道具収納箱７内におけるキャンパス収納室７ａを除いた残りの正面側スペースを上下に分割し、上方側が絵具箱収納室７ｂ、下方側が絵画雑具収納室７ｃとなる。
【００１７】
絵画道具収納箱７の上面は、任意の一辺にヒンジ構造を有する蓋体８に構成され、該蓋体８を開放するとキャンパス収納室７ａ及び絵具箱収納室７ｂにつながり、絵画道具収納箱７の上側から絵具箱ＦやキャンパスＧの出し入れが可能となっている。また、該蓋体８を閉鎖した状態においては、絵画道具等を置くためのテーブルとして使用することができる。さらに、絵画道具収納箱７の正面下方部は、上方一辺にヒンジ構造を有する蓋体９に構成され、該蓋体９を開放すると絵画雑具収納室７ｃにつながり、絵画道具収納箱７の正面側から水差し等の絵画雑具が出し入れ可能となっている。そしてまた、該蓋体９を開放した状態で水平に固定することが可能となっており、絵画道具等を置くためのテーブルとして使用することができる。その際の蓋体９を固定するための構造については、図３に示されている。すなわち、絵画雑具収納室７ｃ内に収められている回動自在の蓋体支持具１０を外へ引き出し、その上に蓋体９を載せて固定する構造となっている。
【００１８】
尚、絵画道具一式収納カート１全体の材質については特に限定はないが、荷台３や把持部２並びに支持部６については、通常の一般的なカートと同様、アルミやステンレス等の軽量金属で成型されるのが好ましい。また、絵画道具収納箱７の材質についても同様に限定はないが、軽量かつ丈夫であることを考慮すると、やはりアルミやステンレス等の軽量金属で成型されるのが好ましく、さらに軽量化のためには、網状に構成された軽量金属とすることが望ましい。
【００１９】
図４は、本発明にかかる絵画道具一式収納カート用折畳みエーゼルＥを示す正面斜視図である。該絵画道具一式収納カート用折畳みエーゼルＥは、エーゼル枠体Ｅ１が折畳み可能となっており、二本の脚部の両下端にフックＥ３を備え、エーゼル枠体Ｅ１を展開した状態においてキャンパス設置台Ｅ２を該エーゼル枠体Ｅ１に嵌め込み固定して、前記絵画道具収納箱７の背面上部に該フックＥ３を引掛けるとともに裏面を前記把持部２に立掛けることで、絵画道具一式収納カート１全体をエーゼルとして使用することが可能である構成となっている。
【００２０】
図５は、本発明にかかる絵画道具一式収納カート用折畳みエーゼルＥの折り畳んだ状態を示す説明図である。図４に示す絵画道具一式収納カート用折畳みエーゼルＥの組立て状態からキャンパス設置台Ｅ２を外し、折畳み可能であるエーゼル枠体Ｅ１を折り畳み、そこへ外されたキャンパス設置台Ｅ２を重ね合わせて集合体が構成される。その集合体にされたエーゼルＥを紐等で固定し、一本のコンパクトな棒状体となって、本発明にかかる絵画道具一式収納カート１に形成された空間Ｓに立て掛け収納されることとなる。
【００２１】
図６は、本発明にかかる絵画道具一式収納カート用折畳みエーゼルＥの取付け状態を示す部分拡大図であり、図７は、本発明にかかる絵画道具一式収納カート用折畳みエーゼルＥの取付け状態を示す斜視図である。網状に構成された軽量金属からなる絵画道具収納箱７の背面上部にフックＥ３を引掛けて、エーゼル枠体Ｅ１の脚部は該絵画道具収納箱７に固定される。そしてまた、絵画道具一式収納カート用折畳みエーゼルＥの裏面が把持部２に接触するように立掛けられる。このとき、絵画道具収納箱７と支持部６との間に空間Ｓが形成されていることで、絵画道具一式収納カート用折畳みエーゼルＥは写生のための適度な傾きを有することとなる。このようにして、絵画道具一式収納カート１全体がエーゼルとしての役割を果たすこととなる。
【００２２】
図８は、本発明にかかる絵画道具一式収納カート用絵具箱Ｆを示す説明図である。該絵画道具一式収納カート用絵具箱Ｆは、上面を開放した下段箱体Ｆ１と、該下段箱体Ｆ１を覆う状態で重ねられる下段箱体Ｆ１と同大かつ上面を開放した中段箱体Ｆ２と、該中段箱体Ｆ２を覆う状態で重ねられる下段箱体Ｆ１及び中段箱体Ｆ２と同大かつ上面を開放した上段箱体Ｆ３と、該上段箱体Ｆ３上面を覆う蓋１１とから構成されている。各箱体は、絵具箱収納室７ｂに収納可能な大きさであって、それぞれ連結されて階段状に展開可能となっており、該展開した状態で中段箱体Ｆ２及び上段箱体Ｆ３の高さ位置を維持するための脚部１３が設けられている。
【００２３】
該絵画道具一式収納カート用絵具箱Ｆは、図８（ａ）に示すように、各箱体が重ねられ、上段箱体Ｆ３の上面が蓋１１で閉鎖されて、一体となって絵画道具収納箱７の絵具箱収納室７ｂに出し入れ自在となる。図８（ｂ）は、上記一体となった絵画道具一式収納カート用絵具箱Ｆを使用するための展開途中の状態を示し、図８（ｃ）は、使用可能状態へ完全に展開した状態を示している。
【００２４】
尚、図面では、各箱体を展開させるための構造として、下段箱体Ｆ１の側面後部と中段箱体Ｆ２の側面中央部と上段箱体Ｆ３の側面前部とを直線帯状の一本の連結具１２で回動自在に連結した構造を採用した場合を示しているが、この構造に限定されるものではなく、例えば、下段箱体Ｆ１及び中段箱体Ｆ２の側壁上端にスライドレールを設けて中段箱体Ｆ２及び上段箱体Ｆ３をスライドさせる構造を採用するなど、種々の構造を採ることが可能である。
【００２５】
図９は、本発明にかかる絵画道具一式収納カート１を使用して実際に写生している状態を示す説明図である。絵画道具収納箱７と支持部６との間の空間Ｓに収納された折畳み椅子Ｃ及び絵画道具一式収納カート用折畳みエーゼルＥを取り出し、折畳み椅子Ｃは絵画道具一式収納カート１の正面側に配置され、絵画道具一式収納カート用折畳みエーゼルＥは組み立てられて絵画道具収納箱７の背面側に設置される。絵画道具収納箱７内から種々の道具が取り出された後、該絵画道具収納箱７上面の蓋体８は閉鎖されてテーブルとして機能し、また正面下方部の蓋体９もテーブルとして機能するように水平に固定される。キャンパスＧはキャンパス設置台Ｅ２に置かれ、また、絵画道具一式収納カート用絵具箱Ｆやその他の絵画雑具は前記テーブル機能を有する蓋体８・９に置かれて、絵画道具一式収納カート１は写生をする状態となる。
【００２６】
図１０は、本発明にかかる絵画道具一式収納カート用カバーＨを示す説明図である。該絵画道具一式収納カート用カバーＨは、側面を絵画道具収納箱７との固定手段を有するカバー本体Ｈ１とし、正面及び上面が開放可能であるようにカバー蓋体Ｈ２で構成され、背面には移動時に背負うための肩掛け帯Ｈ３を備えた構成となっている。
【００２７】
尚、絵画道具一式収納カート用カバーＨの材質としては、特に限定するものではないが、降雨時などにおける防水性等を考慮すると、かかる防水機能を備えたビニール製や布製のものが好ましい。
【００２８】
図１１は、本発明にかかる絵画道具一式収納カート用カバーＨのカバー蓋体Ｈ２の開放状態を示す斜視図である。該カバー蓋体Ｈ２を正面だけでなく上面まで開放可能とすることで、絵画道具収納箱７上面の蓋体８の開閉に資することとなる。尚、カバー本体Ｈ１とカバー蓋体Ｈ２との開閉手段については、特に限定はなく、ボタン式やファスナー式、ベルクロファスナー式等、種々の手段を採用することが可能である。
【図面の簡単な説明】
【００２９】
【図１】本発明にかかる絵画道具一式収納カートを示す斜視図である。
【図２】本発明にかかる絵画道具一式収納カートを示す側方断面図である。
【図３】本発明にかかる絵画道具一式収納カートの正面下方部の開閉構造を示す部分拡大図である。
【図４】本発明にかかる絵画道具一式収納カート用折畳みエーゼルを示す正面斜視図である。
【図５】本発明にかかる絵画道具一式収納カート用折畳みエーゼルの折り畳んだ状態を示す説明図である。
【図６】本発明にかかる絵画道具一式収納カート用折畳みエーゼルの取付け状態を示す部分拡大図である。
【図７】本発明にかかる絵画道具一式収納カート用折畳みエーゼルの取付け状態を示す斜視図である。
【図８】本発明にかかる絵画道具一式収納カート用絵具箱を示す説明図である。
【図９】本発明にかかる絵画道具一式収納カートを使用して実際に写生している状態を示す説明図である。
【図１０】本発明にかかる絵画道具一式収納カート用カバーを示す説明図である。
【図１１】本発明にかかる絵画道具一式収納カート用カバーのカバー蓋体の開放状態を示す斜視図である。
【符号の説明】
【００３０】
１    絵画道具一式収納カート
２    把持部
３    荷台
４    車輪
５    立掛部
６    支持部
７    絵画道具収納箱
７ａ  キャンパス収納室
７ｂ  絵具箱収納室
７ｃ  絵画雑具収納室
８    蓋体
９    蓋体
１０    蓋体支持具
１１    蓋
１２    連結具
１３    脚部
Ｃ    折畳み椅子
Ｅ    折畳みエーゼル
Ｅ１  エーゼル枠体
Ｅ２  キャンパス設置台
Ｅ３  フック
Ｆ    絵具箱
Ｆ１  下段箱体
Ｆ２  中段箱体
Ｆ３  上段箱体
Ｇ    キャンパス
Ｈ    カバー
Ｈ１  カバー本体
Ｈ２  カバー蓋体
Ｈ３  肩掛け帯
Ｓ    空間
【図１】
2006042906.tif 000003
【図２】
2006042906.tif 000004
【図３】
2006042906.tif 000005
【図４】
2006042906.tif 000006
【図５】
2006042906.tif 000007
【図６】
2006042906.tif 000008
【図７】
2006042906.tif 000009
【図８】
2006042906.tif 000010
【図９】
2006042906.tif 000011
【図１０】
2006042906.tif 000012
【図１１】
2006042906.tif 000013